(57)【要約】【課題】情報記録再生装置との間で情報の伝達や処理を行う外部機器との接続時に、媒体の搬出に伴うデータ破壊を防止することが可能な情報記録再生装置及び情報記録再生システムを提供する。【解決手段】外部機器２０との接続を検出する外部機器接続検出部１７を備え、外部機器接続検出部１７により外部機器２０との接続が検出されている場合には、光ディスク２の搬出を禁止する。また、外部機器２０との接続が検出されていない場合には、ディスク２の搬出を許可する。これにより、ディスク２の搬出に伴う、データ破壊、印刷時の弊害を防止できる。【選択図】　　　　　図１
2004102696.tif 000002
【特許請求の範囲】
【請求項１】
情報の伝達或いは処理を行う外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記検出手段により前記外部機器との接続が検出されている場合には、前記記録媒体の搬出を禁止する手段とを備えたことを特徴とする情報記録再生装置。
【請求項２】
情報の伝達或いは処理を行う外部機器と電気的に接続可能に構成され、前記外部機器からの情報を情報記録媒体に記録或いは前記記録媒体から読み出した情報を前記外部機器に送信する情報記録再生装置において、再生モードと記録モードを切り換える手段と、前記モードを検出する手段と、前記外部機器との接続を検出する手段とを備え、前記接続検出手段により外部機器との接続が検出され、且つ、前記モード検出手段で再生モードが検出された場合には、前記記録媒体の搬出を許可し、前記接続検出手段により外部機器との接続が検出され、且つ、前記モード検出手段で記録モードが検出された場合には、前記外部機器で情報の編集又は印刷を行うモードに切り換えると共に、前記記録媒体の搬出を禁止することを特徴とする情報記録再生装置。
【請求項３】
情報の編集作業を行う編集手段と、編集作業を行う中で、ディレクトリ等の管理情報の書き込み時にロック信号を発信する発信手段とを有する外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする情報記録再生装置。
【請求項４】
情報の編集作業を行う編集手段と、編集作業を行う中で、データ書き込み中、データ書き込み後、及び、ディレクトリ等の管理情報の書き込み時にロック信号を発信する発信手段とを有する外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする情報記録再生装置。
【請求項５】
印刷手段が配備され、前記印刷手段により印刷する際にはロック信号を発信する発信手段を有する外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする情報記録再生装置。
【請求項６】
情報の伝達或いは処理を行う外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記検出手段により前記情報記録再生装置と前記外部機器との接続が検出されている場合には、前記情報記録再生装置からの記録媒体の搬出を禁止する手段とを備えたことを特徴とする情報記録再生システム。
【請求項７】
情報の伝達或いは処理を行う外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置の再生モードと記録モードを切り換える手段と、前記モードを検出する手段と、前記情報記録再生装置と前記外部機器との接続を検出する手段とを備え、前記接続検出手段により前記情報記録再生装置と外部機器との接続が検出され、且つ、前記モード検出手段で再生モードが検出された場合には、前記情報記録再生装置からの記録媒体の搬出を許可し、前記接続検出手段により前記情報記録再生装置と外部機器との接続が検出され、且つ、前記モード検出手段で記録モードが検出された場合には、前記外部機器で情報の編集又は印刷を行うモードに切り換えると共に、前記情報記録再生装置からの記録媒体の搬出を禁止することを特徴とする情報記録再生システム。
【請求項８】
情報の編集作業を行う編集手段と、編集作業を行う中で、ディレクトリ等の管理情報の書き込み時にロック信号を発信する発信手段とを有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする情報記録再生システム。
【請求項９】
情報の編集作業を行う編集手段と、編集作業を行う中で、データ書き込み中、データ書き込み後、及び、ディレクトリ等の管理情報の書き込み時にロック信号を発信する発信手段とを有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする情報記録再生システム。
【請求項１０】
印刷手段が配備され、前記印刷手段により印刷する際にはロック信号を発信する発信手段を有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする情報記録再生システム。
【発明の詳細な説明】
【０００１】
【発明の属する技術分野】
本発明は、光ディスク等の情報記録媒体に情報を記録し、或いは記録情報を再生する情報記録再生装置及び情報記録再生装置とパーソナルコンピュータ等の外部機器から成る情報記録再生システムに関するものである。
【０００２】
【従来の技術】
図７は従来のディスク記録再生装置を示す概略構成図である。図７では光ディスク記録再生装置を例としている。図中１は光ディスク記録再生装置の構造上のベースとなるシャーシ、２は光ディスク、３はディスク２を搭載し回転させるスピンドルモータ、４は光ピックアップ、５は光ピックアップ４をディスク２の半径方向に移送する手段としてのリードスクリュー、６はシークモータ、７は光ピックアップ４のガイドシャフトである。また、８は光ディスク記録再生装置からディスク２を搬出する搬出部（図示せず）と係合する搬出操作レバー、９は搬出操作レバー８と係合可能に構成された搬出ロック、１０は搬出ロックを並進移動させるプランジャーである。
【０００３】
ここで、搬出ロック９が搬出操作レバー８の開口部に挿入されている場合は、搬出操作レバー８がロックされた状態となり、ディスク２は搬出できない。一方、搬出ロック９が搬出操作レバー８の開口部から外れると、搬出操作レバー８のロックが解除されるため、搬出操作レバー８をスライドさせることでディスク２の搬出が可能となる。
【０００４】
次に、従来装置の動作について説明する。まず、スピンドルモータ３上にディスク２をチャッキングさせ、ディスク２を回転させながら光ピックアップ４からレーザ光を照射することで記録及び再生を行う。なお、この光ピックアップ４の駆動はシャーシ１上に配置されたシークモータ６（主にステッピングモータ）を駆動源としており、シークモータ６のシャフトはそのまま一体となってリードスクリュー５が形成されている。
【０００５】
次に、リードスクリュー５の回転運動を光ピックアップ４に設けられたラック（図示せず）を用いることにより直線運動に変換する。これにより、駆動源であるシークモータ６の回転によるリードスクリュー５の回転角に応じて光ピックアップ４を半径方向に所定の距離だけ移動させる。例えば、ディスク再生時はディスク２をスピンドルモータ３によって所定の回転数に回転させ、ディスク２のトラック上に書き込まれた情報を光ピックアップ４で読み取りながら、ディスク２の内周から外周まで自在に移動追従できるように光ピックアップ４をディスク２の半径方向にシークモータ６で間欠的に移送する。
【０００６】
また、光ディスク記録再生装置からディスク２の搬出を禁止する際には、禁止手段としてプランジャー１０により搬出ロック９を搬出操作レバー８の開口部に挿入する。また、搬出を可能とする場合は、プランジャー１０にて搬出ロック９を搬出操作レバー８から退避させる。これにより、搬出可能時は搬出操作レバー８を操作することでディスク２を搬出部から搬出し、搬出禁止時は搬出操作レバー８がロックされるため、ディスク２の搬出動作を行うことが出来ない。
【０００７】
次に、従来のディスク記録再生装置の動作を図８に示すフローチャートに基づいて説明する。従来例においては、先述した構造とともに電源スイッチ（図示せず）、入力された情報をディスク２に記録する記録動作を行う記録モード、ディスク２に記録された記録情報を読み出し再生、早送り、巻き戻し、静止等の動作を行う再生モード、モードを切り換えるモード切換手段としての切換スイッチ（図示せず）、モード検出部を有している。モード検出部は、ＣＰＵ等によって各モードを検出する。
【０００８】
図８において、まず、使用者がモードを切り換えると、モード検出部においてモードが検出され（Ｓ８０１）、検出されたモードが記録モードの場合は前述した搬出ロック９を搬出操作レバー８に係合させることでディスク２の搬出を禁止する（Ｓ８０２）。一方、検出されたモードが再生モードの場合には、搬出ロック９を搬出操作レバー８から退避させることでディスク２の搬出を可能とする（Ｓ８０３）。
【０００９】
【発明が解決しようとする課題】
先述した通り、従来例ではディスク搬出禁止手段の制御は記録／再生動作によって行っている。このため、パーソナルコンピュータ等の外部機器と接続し、記録情報の伝達や処理を行い編集作業を行う編集モード時には、記録／再生動作を繰り返すので、再生動作の場合にはディスクを搬出することが可能となる。しかしながら、外部機器と接続し情報の伝達や処理を行っている場合にディスクの搬出を行ってしまうと、情報の保存が困難であり、場合によっては、情報自体が破壊する可能性がある。
【００１０】
なお、本発明における編集とは、外部機器上に読み込んだディスクの記録情報を外部機器上にて、例えば、順番の入れ替え、削除、追加、変更等の処理を行うことであり、編集動作とは、編集の結果に応じて少なくともディレクトリ情報等の管理情報（以下、管理情報とする）の書き込みを伴う記録／再生動作のことである。また、編集動作を行うためのモードを編集モードとする。
【００１１】
次に、先述した編集モードにおける具体的な各動作について詳述する。編集モード時においては、まず、ディスクから管理情報と、映像、音声等のデータ（以下、データとする）を読み込む。次に、外部機器にて外部機器上における読み込まれた情報の処理である編集を行い、最後に編集結果に従って管理情報とデータを書き込む。なお。編集モード時の管理情報及びデータの読み込みは再生動作であり、編集結果に従っての管理情報及びデータの書き込みは記録動作となる。また、編集結果の書き込みには、大別して“新規書き込み”と“上書き”の２種類が存在する。
【００１２】
そして、先述した編集モードの一連の動作中にディスクを搬出することで、様々な弊害が発生する。以下、上記編集モード時のディスク搬出に伴う、想定される弊害について例示する。
【００１３】
（１）編集モードの各動作順序が、先述した通りの場合は、まず、管理情報とデータを読み込む再生動作を行い、外部機器において編集し、編集結果に従って管理情報とデータを書き込む。このため、外部機器での編集中はディスク記録再生装置は再生動作となっているのが一般的である。従って、従来の構成では編集結果の書き込み以前の編集中にディスクを搬出することが可能となってしまう。しかし、上記タイミングにてディスクの搬出を行ってしまうと編集結果を反映させることが不可能となることは明白である。但し、この場合、編集した新規データ（以下、新規データとする）が消滅する可能性はあるが、ディスクの情報が破壊される可能性はない。
【００１４】
（２）また、以下に、編集結果の書き込みにおいて、データの書き込みと管理情報の書き込みが一連のセットで行われる場合の、データ書き込み中、データ書き込み後、管理情報書き込み中、管理情報書き込み後、の各々の状態でディスクを搬出した際に生じる弊害について詳述する．なお、本願明細書においては編集結果の書き込みは、データ書き込み、管理情報書き込みの順で行うものとする。
【００１５】
まず、新規書き込みの場合は、データ書き込み中及び書き込み後においてディスクを搬出することで、新規データが消滅する。しかし、ディスク上の記録情報間の整合性は保たれるため、ディスクが破壊されることはない。つまり、新規データを書き込んだ部分は、管理情報上では情報が記録されていない空き領域となるため、再生は不可能であるが、新たに書き込むことは可能である。
【００１６】
また、管理情報書き込み中にディスクを搬出すると、記録情報間の整合性が取れなくなり、ディスク内の情報は破壊されてしまう。特に、この場合には、管理情報が破壊されてしまうため、ディスク内の一部の情報のみならず、ディスク全体の情報が破壊される可能性が高い。無論、新規データは消滅する。管理情報記録後ならば、ディスク搬出による弊害は発生しない。
【００１７】
次に、上書きの場合は、データ書き込み中及び書き込み後においてディスクを搬出することで、新規データ及び旧データが消滅し、管理情報との整合性が取れなくなる。よって、該当するデータにアクセスした場合、アクセス不可になる等の問題が発生する可能性があるが、ディスク全体が破壊される可能性は低い。また、管理情報書き込み中にディスクを搬出すると、新規書き込みの場合と同様に記録情報間の整合性が取れなくなり、ディスク内の情報は破壊されてしまう。無論、新規データ及び旧データは消滅する。管理情報記録後ならば、ディスク搬出による弊害は発生しない。
【００１８】
（３）また、編集モード時に、管理情報を読み込み、次にデータを読み込み、編集を行い、編集結果のデータを書き込み、再び他のデータの読み込み、編集、書き込みを行い、全ての編集が終了した場合に管理情報を一括して書き込む場合について詳述する。この場合には、編集モード中に再生動作及び記録動作を繰り返すため、従来の構成では再生動作中にディスクの搬出が可能である。
【００１９】
しかし、管理情報書き込み以前にディスクを搬出した場合には、（２）の場合と同様、新規書き込みの際は新規データが消滅し、整合性は保たれ、また、上書きの際は新規データ及び旧データが消滅し、整合性も取れなくなる。また、管理情報書き込み中に搬出を行った場合も（２）と同様に記録情報間の整合性が取れなくなり、ディスク内の情報は破壊されてしまう。管理情報記録後ならば、ディスク搬出による弊害は発生しない。
【００２０】
以上詳述した通り、編集モード中にディスクを搬出することで、データの消滅から管理情報破壊によるディスク全体の破壊まで、様々な弊害が発生する。
【００２１】
また、編集における弊害のみならず、例えば、プリンター等の印刷手段が配備された外部機器においても本発明は有効である。つまり、外部機器と接続し、プリンター等の印刷手段においてディスクに記録された記録情報を印刷する場合、印刷時は情報を読み出すため、ディスク記録再生装置においては再生動作となる。このため、先述した理由から従来のディスク記録再生装置においてはディスクの搬出が可能となってしまう。
【００２２】
しかし、上記動作中にディスクの搬出を行うと、弊害が生じることは明白である。また、印刷に用いる、例えば、用紙、インク、トナーといった消耗品の損失も発生する。なお、上記印刷手段が配備された外部機器とは、例えば、パーソナルコンピュータにプリンターが接続されたものや、ダイレクトプリントと呼ばれる印刷機能のみを有する外部機器等を示すものである。
【００２３】
なお、本発明においては、上記編集モードと、上記印刷手段が配備された外部機器と接続し、印刷を行うモードの双方を合わせて外部機器モードと呼ぶ。
【００２４】
また、記録／再生にとらわれず、常に搬出を禁止し、電源オフ時等にのみ搬出可能とするものも一部存在するが、この場合には、単なる再生動作時等も搬出禁止となってしまい、必要時にディスクを交換することが不可能となり、使用者に快適な操作感を与えることは困難である。
【００２５】
本発明は、上記従来の問題点を解決するためになされたもので、外部機器との接続時には記録媒体の搬出を禁止することにより、記録媒体の搬出に伴うデータ破壊を防止できる情報記録再生装置及び情報記録再生システムを提供することにある。なお、本発明は上記例示した編集モードの各動作順序のみに限定されるものではない。
【００２６】
【課題を解決するための手段】
本発明の情報記録再生装置は、上記目的を達成するため、情報の伝達或いは処理を行う外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記検出手段により前記外部機器との接続が検出されている場合には、前記記録媒体の搬出を禁止する手段とを備えたことを特徴とする。
【００２７】
また、本発明の情報記録再生装置は、情報の伝達或いは処理を行う外部機器と電気的に接続可能に構成され、前記外部機器からの情報を情報記録媒体に記録或いは前記記録媒体から読み出した情報を前記外部機器に送信する情報記録再生装置において、再生モードと記録モードを切り換える手段と、前記モードを検出する手段と、前記外部機器との接続を検出する手段とを備え、前記接続検出手段により外部機器との接続が検出され、且つ、前記モード検出手段で再生モードが検出された場合には、前記記録媒体の搬出を許可し、前記接続検出手段により外部機器との接続が検出され、且つ、前記モード検出手段で記録モードが検出された場合には、前記外部機器で情報の編集又は印刷を行うモードに切り換えると共に、前記記録媒体の搬出を禁止することを特徴とする。
【００２８】
また、本発明の情報記録再生装置は、情報の編集作業を行う編集手段と、編集作業を行う中で、ディレクトリ等の管理情報の書き込み時にロック信号を発信する発信手段とを有する外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする。
【００２９】
また、本発明の情報記録再生装置は、情報の編集作業を行う編集手段と、編集作業を行う中で、データ書き込み中、データ書き込み後、及び、ディレクトリ等の管理情報の書き込み時にロック信号を発信する発信手段とを有する外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする。
【００３０】
また、本発明の情報記録再生装置は、印刷手段が配備され、前記印刷手段により印刷する際にはロック信号を発信する発信手段を有する外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする。
【００３１】
また、本発明の情報記録再生システムは、情報の伝達或いは処理を行う外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記検出手段により前記情報記録再生装置と前記外部機器との接続が検出されている場合には、前記情報記録再生装置からの記録媒体の搬出を禁止する手段とを備えたことを特徴とする。
【００３２】
また、本発明の情報記録再生システムは、情報の伝達或いは処理を行う外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置の再生モードと記録モードを切り換える手段と、前記モードを検出する手段と、前記情報記録再生装置と前記外部機器との接続を検出する手段とを備え、前記接続検出手段により前記情報記録再生装置と外部機器との接続が検出され、且つ、前記モード検出手段で再生モードが検出された場合には、前記情報記録再生装置からの記録媒体の搬出を許可し、前記接続検出手段により前記情報記録再生装置と外部機器との接続が検出され、且つ、前記モード検出手段で記録モードが検出された場合には、前記外部機器で情報の編集又は印刷を行うモードに切り換えると共に、前記情報記録再生装置からの記録媒体の搬出を禁止することを特徴とする。
【００３３】
また、本発明の情報記録再生システムは、情報の編集作業を行う編集手段と、編集作業を行う中で、ディレクトリ等の管理情報の書き込み時にロック信号を発信する発信手段とを有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする。
【００３４】
また、本発明の情報記録再生システムは、情報の編集作業を行う編集手段と、編集作業を行う中で、データ書き込み中、データ書き込み後、及び、ディレクトリ等の管理情報の書き込み時にロック信号を発信する発信手段とを有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする。
【００３５】
また、本発明の情報記録再生システムは、印刷手段が配備され、前記印刷手段により印刷する際にはロック信号を発信する発信手段を有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする。
【００３６】
【発明の実施の形態】
次に、本発明の実施の形態について図面を参照して詳細に説明する。なお、本発明に係る情報記録再生装置の基本的な構造は図７の従来装置に準じている。
【００３７】
（第１の実施形態）
図１は本発明の第１の実施形態を示すブロック図である。なお、図１では図７と同一部分は同一符号を付して説明を省略する。図１において、ディスク記録再生装置コントローラ（以下コントローラ）１１はＣＰＵ、メモリ等から構成され、装置全体を統括制御すると共に、各シーケンス制御の中枢を担っている。また、コントローラ１１は外部機器２０と通信を行い、外部機器２０からのデータをディスク２に記録したり、或いはディスク２から読み出したデータを外部機器２０に送信する。外部機器２０は、例えば、パーソナルコンピュータ等であり、先述のような編集作業を行い、或いはプリンターを用いてディスク２からのデータの印刷を行う。
【００３８】
サーボ／ＲＦ処理部１２は光ピックアップドライバー１３、シークモータドライバー１４、スピンドルモータドライバー１５、プランジャードライバー１６の制御を行う。この際、サーボ／ＲＦ処理部１２は光ピックアップ４内のディスク２からの反射光を検出する光センサ（図示せず）の出力信号の処理等を行い、サーボ信号に基づいて光ピックアップ４、スピンドルモータ３、シークモータ６の制御を行う。
【００３９】
外部機器接続検出部１７はディスク記録再生装置と外部機器（パーソナルコンピュータ等）２０との電気的な接続を検出する検出部である。本実施形態では、例えば、ディスク記録再生装置と外部機器２０はＵＳＢ（Ｕｎｉｖｅｒｓａｌ　Ｓｅｒｉａｌ　Ｂｕｓ）ポートを用いて接続されている。この際、ＵＳＢはポート部にスイッチ部（図示せず）を有しており、外部機器接続検出部１７はＵＳＢのポート部のスイッチ部を監視することで、外部機器２０との接続を検出する。なお、ディスク記録再生装置や外部機器の基本的な構造及び動作は従来装置に準じているため省略する。また、ディスク記録再生装置の記録／再生部に関しては周知であるので説明を省略する。
【００４０】
次に、本実施形態の動作を図２のフローチャートを参照して説明する。図２において、まず、ディスク記録再生装置のＵＳＢポート等においてパーソナルコンピュータ等の外部機器２０と接続されると、外部機器接続検出部１７において外部機器２０との接続が検出される（Ｓ２０１）。コントローラ１１はこの検出によりサーボ／ＲＦ処理部１２を介してプランジャードライバー１６を制御し、プランジャー１０を駆動することで搬出禁止手段としての搬出ロック９を搬出操作レバー８の開口部に挿入する（Ｓ２０２）。これにより、搬出操作レバー８がロックされるため、ディスク２の搬出が禁止される。一方、外部機器接続検出部１７によって外部機器２０との接続が検出されていない場合には、搬出ロック９を搬出操作レバー８の開口部から離間させるため、搬出操作レバー８を操作することでディスク２の搬出が可能となる（Ｓ２０３）。
【００４１】
本実施形態においては、外部機器２０との接続を検出した場合には、ディスクの搬出を禁止することで、外部機器と接続し情報の伝達や処理を行う際の誤操作等によるディスク搬出が不可能になるため、先述のようなディスク搬出による新旧データの消滅、管理情報の整合性の破壊、管理情報の破壊によるディスク内の情報の破壊、ディスク全体の情報の破壊、といった弊害を免れることが可能となる。また、パーソナルコンピュータ等の外部機器がプリンター等の印刷手段を有している場合においても、先述した印刷時における弊害を免れることも可能となる。
【００４２】
（第２の実施形態）
図３は本発明の第２の実施形態を示すブロック図である。第１の実施形態との違いはコントローラ１１と外部機器接続検出部１７の間に操作モードを検出するモード検出部１８を設けている点である。図４は本実施形態の動作を示すフローチャートである。
【００４３】
本実施形態においては、ディスク２に記録された記録情報を読み出し、再生、早送り、巻き戻し、静止等の動作を行う再生モードと、入力された情報をディスク２に記録する記録モードの２つの操作モードと、このモードを切り換える切換手段、モードを検出するモード検出部１８を有している。モード検出部１８は、例えば、ＣＰＵ等によってモードを検出する。
【００４４】
次に、図４を参照して動作を説明する。まず、外部機器接続検出部１７で外部機器２０との接続が検出されると（Ｓ４０１）、次にモード検出部１８は各モードの検出を行う（Ｓ４０２）。この時、検出されたモードが再生モードであった場合は、コントローラ１１はサーボ／ＲＦ処理部１２を介してプランジャードライバー１６を制御し、プランジャー１０を駆動することで搬出ロック９を搬出操作レバー８の開口部から離間させる。そのため、搬出操作レバー８を操作することでディスク２の搬出が可能となる（Ｓ４０３）。
【００４５】
一方、検出されたモードが記録モードであった場合は、記録モードではなく、先述した外部機器モード（編集モードと印刷を行うモードを合わせたモード）となる。即ち、ディスク記録再生装置から外部機器２０に編集又は印刷を行う信号を送信することで、編集作業又は印刷作業が可能となる。更に、コントローラ１１はサーボ／ＲＦ処理部１２を介してプランジャードライバー１６を制御し、搬出禁止手段としてプランジャー１０を駆動し、搬出ロック９を搬出操作レバー８の開口部に挿入する。これにより、搬出操作レバー８がロックされるためディスク２の搬出が禁止される（Ｓ４０４）。
【００４６】
本実施形態においては、外部機器２０との接続を検出し、再生モードが検出された場合には、ディスクの搬出が可能となるため、ディスクの交換が容易であり、快適な操作感を使用者に与えることが可能となる。また、外部機器２０との接続を検出し、記録モードが検出された場合には、外部機器モードに切り換えられ、更に、ディスクの搬出が禁止されるため、外部機器と接続し情報の伝達や処理を行う際の誤操作等によるディスク搬出が不可能になり、先述のようなディスク搬出による新旧データの消滅、管理情報の整合性の破壊、管理情報の破壊によるディスク内の情報の破壊、ディスク全体の情報の破壊、といった弊害を免れることが可能となる。
【００４７】
また、パーソナルコンピュータ等の外部機器がプリンター等の印刷手段を有している場合においても、先述した印刷時における弊害を免れることも可能となる。更に、本実施形態では、例えば、モードを切り換える切り換え手段としてスイッチを用いる場合、再生モードと外部機器モードの２つのモードとなるため、先述した３つのモードに対応した切り換え部や接点部を要する場合と比較し、その数を低減することが可能となる。
【００４８】
（第３の実施形態）
図５は本発明の第３の実施形態を示すブロック図である。第１の実施形態との違いはコントローラ１１と外部機器接続検出部１７との間にロック信号検出部１９を設けている点である。図６は本実施形態の動作を示すフローチャートである。
【００４９】
本実施形態においては、例えば、パーソナルコンピュータ等の外部機器２０において記録情報の編集作業を行う編集手段とロック信号を発信する発信手段を有しており、ディスク記録再生装置と接続し編集作業を行う中で、ディレクトリ等の管理情報の書き込み時にロック信号を発信する。ディスク記録再生装置のロック信号検出部１９はこのロック信号を検出する。
【００５０】
本実施形態においては、外部機器２０との接続手段としてＵＳＢを例として説明する。このＵＳＢのような外部機器２０との接続手段について詳述すると、このような外部機器２０との接続手段においては外部機器２０とディスク記録再生装置においてホストとデバイスという役割の分担を行う。そして、現在記録／再生している対象が、管理情報であるのか、データであるのかといった制御はホスト側のみで行い、デバイス側では記録／再生のどちらを行っているのかの把握は可能だが、管理情報／データといった内容について把握することは不可能である。
【００５１】
このため、ホスト側においてロック信号を発生し、デバイス側にてロック信号を検出する必要がある。また、ＵＳＢにおいてはデバイスクラスというプロトコルが存在し、ディスク記録再生装置においてはＭａｓｓ　Ｓｔｏｒａｇｅというデバイスクラスを用いることが一般的である。このＭａｓｓ　Ｓｔｏｒａｇｅでは、パーソナルコンピュータ等の外部機器側がホストとなり、ディスク記録再生装置側はデバイスとなる。このため、ディスクの搬出を禁止する場合には、外部機器においてロック信号を発信し、ロック信号に応じてディスク記録再生装置でディスクの搬出を禁止するのである。なお、ロック信号は同ＵＳＢのＭａｓｓ　Ｓｔｏｒａｇｅ　においてはＰＲＥＶＥＮＴＡＬ／ＡＬＬＯＷ　ＭＥＤＩＵＭ　ＲＥＭＯＶＡＬコマンドを用いることで可能となる。
【００５２】
つまり、図６に示すようにＵＳＢポート等においてパーソナルコンピュータ等の外部機器２０と接続を行い、外部機器接続検出部１７で外部機器との接続が検出されると（Ｓ６０１）、ロック信号検出部１９でロック信号の検出を行う（Ｓ６０２）。ここで、ロック信号が検出されると、コントローラ１１はサーボ／ＲＦ処理部１２を介して搬出禁止手段としてのプランジャー１０を駆動し、搬出ロック９を搬出操作レバー８の開口部に挿入することでディスクの搬出を禁止する（Ｓ６０３）。また、ロック信号が検出されない場合には、搬出ロック９を搬出操作レバー８から退避させることでディスクを搬出可能とする（Ｓ６０４）。
【００５３】
これにより、先述した通り、ディスク搬出に伴う、管理情報の破壊によるディスク内の情報の破壊、ディスク全体の情報の破壊を防止することができる。よって、再生モード中のみならず、編集モード中でもディスクの破壊を防止しながら、その他の状況において容易にディスクを交換することができる。そのため、好感度の操作感を使用者に与えることが可能となる。なお、本実施形態では外部機器との接続手段としてＵＳＢを用いたが、本発明はこれに限定されるものではなく、例えば、ＡＴＡＰＩ等を用いることも可能である。
【００５４】
（第４の実施形態）
次に、本発明の第４の実施形態について説明する。第４の実施形態の構成は第３の実施形態の図５と同様である。また、本実施形態の動作も図６のフローチャートと同様である。本実施形態においては、外部機器２０においてディスク記録再生装置と接続し編集作業を行う中で、映像、音声等のデータ書き込み中、データ書き込み後、及び、ディレクトリ等の管理情報の書き込み時にロック信号を発信する。ディスク記録再生装置のロック信号検出部１９はこのロック信号を検出する。
【００５５】
ここで、図６に示すようにＵＳＢポート等においてパーソナルコンピュータ等の外部機器２０と接続を行い、外部機器接続検出部１７で外部機器２０との接続が検出され（Ｓ６０１）、ロック信号検出部１９でロック信号が検出されると（Ｓ６０２）、コントローラ１１は搬出禁止手段としてプランジャー１０を駆動し、搬出ロック９を搬出操作レバー８の開口部に挿入することでディスク２の搬出を禁止する（Ｓ６０３）。一方、ロック信号検出部１９でロック信号が検出されない場合には、搬出ロック９を搬出操作レバー８から退避させることで、ディスク２の搬出を可能とする（Ｓ６０４）。
【００５６】
これにより、先述した通り、ディスク搬出に伴う、管理情報との整合性の破壊、管理情報の破壊によるディスク内の情報の破壊、ディスク全体の情報の破壊を防止することができる。よって、再生モード中のみならず、編集モード中でも、管理情報との整合性を保持し、ディスクの破壊を防止しながら、その他の状況において容易にディスクを交換することができる。そのため、好感度の操作感を使用者に与えることが可能となる。但し、先述した（３）のような構成の場合は、ディスク全体の破壊の防止のみとなる。なお、本実施形態では外部機器との接続手段としてＵＳＢを用いたが、本発明はこれに限定されるものではなく、例えば、ＡＴＡＰＩ等を用いることも可能である。
【００５７】
（第５の実施形態）
次に、本発明の第５の実施形態について説明する。第５の実施形態の構成は第３の実施形態の図５と同様である。また、本実施形態の動作も図６のフローチャートと同様である。本実施形態においては、外部機器２０に印刷手段が配備されており、ディスク記録再生装置と接続し、ディスク２に記録された情報を伝達し印刷する際には、ロック信号を発信する。ディスク記録再生装置のロック信号検出部１９は外部機器２０からのロック信号を検出する。
【００５８】
ここで、図６に示すようにＵＳＢポート等においてパーソナルコンピュータ等の外部機器２０と接続を行い、外部機器接続検出部１７で外部機器２０との接続が検出され（Ｓ６０１）、ロック信号検出部１９でロック信号が検出されると（Ｓ６０２）、コントローラ１１はサーボ／ＲＦ処理部１２を介してプランジャー１０を駆動し、搬出ロック９を搬出操作レバー８の開口部に挿入することでディスク２の搬出を禁止する（Ｓ６０３）。一方、ロック信号が検出されない場合には、搬出ロック９を搬出操作レバー８から退避させることでディスク２の搬出を可能とする（Ｓ６０４）。
【００５９】
本実施形態においては、外部機器２０との接続を検出した場合にディスクの搬出を禁止することで、先述した印刷時におけるディスク搬出に伴う弊害を免れることが可能となる。なお、本実施形態では外部機器との接続手段としてＵＳＢを用いたが、本発明はこれに限定されるものではなく、例えば、ＡＴＡＰＩ等を用いることも可能である。
【００６０】
【発明の効果】
以上説明したように本発明は、次の効果がある。
【００６１】
（ａ）情報の伝達や処理を行う外部機器との接続時に情報記録再生装置から記録媒体の搬出を禁止することで、ディスク搬出に伴う情報の破壊、印刷時の弊害を防止することが可能となる。
【００６２】
（ｂ）外部機器と接続した上で操作モードを再生モードに切り換えた場合は、記録媒体の搬出を可能とし、外部機器と接続した上で記録モードに切り換えた場合は外部機器モードに切り換わり、且つ、記録媒体の搬出を禁止することで、再生モード時は媒体の交換が容易になり、好感度の操作感を使用者に与えることが可能である。また、編集モード時は媒体搬出による弊害を免れることが可能となる。更に、パーソナルコンピュータ等の外部機器がプリンター等の印刷手段を有している場合においても、先述した印刷時における弊害を免れることも可能となる。
【００６３】
（ｃ）外部機器において記録情報の編集作業を行う編集手段と、ロック信号を発信する発信手段を有し、編集作業を行う中で、ディレクトリ等の管理情報の書き込み時にロック信号を発信し、ロック信号に応じて媒体の搬出を禁止することで、媒体搬出に伴う、管理情報の破壊による媒体内の情報の破壊、媒体全体の情報の破壊を防止することができる。よって、再生モード中のみならず、編集モード中でも、媒体の破壊を防止しながら、その他の状況において容易に媒体を交換することができる。そのため、好感度の操作感を使用者に与えることが可能となる。
【００６４】
（ｄ）外部機器において編集作業を行う中で、映像、音声等のデータ書き込み中、データ書き込み後、及び、ディレクトリ等の管理情報の書き込み時にロック信号を発信し、ロック信号に応じて媒体の搬出を禁止することで、媒体搬出に伴う、管理情報との整合性の破壊と、管理情報の破壊による媒体内の情報の破壊、媒体全体の情報の破壊を防止することができる。よって、再生モード中のみならず、編集モード中でも、管理情報との整合性を保持し、ディスクの破壊を防止しながら、その他の状況において容易に媒体を交換することができ、好感度の操作感を使用者に与えることが可能となる。
【００６５】
（ｅ）印刷手段が配備された外部機器から媒体に記録された情報を伝達し印刷する際にロック信号を発信し、このロック信号に応じて媒体の搬出を禁止することで、印刷時における媒体搬出に伴う弊害を免れることが可能となる。
【図面の簡単な説明】
【図１】本発明の第１の実施形態の構成を示すブロック図である。
【図２】第１の実施形態の動作を示すフローチャートである。
【図３】本発明の第２の実施形態の構成を示すブロック図である。
【図４】第２の実施形態の動作を示すフローチャートである。
【図５】本発明の第３の実施形態の構成を示すブロック図である。
【図６】第３の実施形態の動作を示すフローチャートである。
【図７】従来例のディスク記録再生装置の構造を示す図である。
【図８】図７の従来装置の動作を示すフローチャート図である。
【符号の説明】
１　シャーシ
２　光ディスク
３　スピンドルモータ
４　光ピックアップ
５　リードスクリュー
６　シークモータ
７　ガイドシャフト
８　搬出操作レバー
９　搬出ロック
１０　プランジャー
１１　ディスク記録再生装置コントローラ
１２　サーボ／ＲＦ処理部
１３　光ピックアップドライバー
１４　シークモータドライバー
１５　スピンドルモータドライバー
１６　プランジャードライバー
１７　外部機器接続検出部
１８　モード検出部
１９　ロック信号検出部
２０　外部機器
【図１】
2004102696.tif 000003
【図２】
2004102696.tif 000004
【図３】
2004102696.tif 000005
【図４】
2004102696.tif 000006
【図５】
2004102696.tif 000007
【図６】
2004102696.tif 000008
【図７】
2004102696.tif 000009
【図８】
2004102696.tif 000010